(57)【特許請求の範囲】
【請求項１】
樹脂製の筐体であって該筐体の外装に対して開閉自在に支持されたイメージＬＣＤを有するデジタルカメラにおいて、
前記筐体は、
前記イメージＬＣＤが閉位置に収められているときに該イメージＬＣＤの裏面に対向する部分が、放熱板で構成されると共に、
前記イメージＬＣＤが前記閉位置に収められたときに、該イメージＬＣＤと前記放熱板との間に所定のクリアランスが確保されるように、該放熱板に対する該イメージＬＣＤの位置が規制されること、
を特徴とするデジタルカメラ。
【請求項２】
樹脂製の筐体であって該筐体の外装に対して開閉自在に支持されたイメージＬＣＤを有するデジタルカメラにおいて、
前記筐体は、
前記イメージＬＣＤが閉位置に収められているときに該イメージＬＣＤの裏面に対向する部分が、金属板で構成されると共に、
前記イメージＬＣＤが前記閉位置に収められたときに、該イメージＬＣＤと前記金属板との間に所定のクリアランスが確保されるように、該金属板に対する該イメージＬＣＤの位置が規制され、
前記筐体内部の発熱する素子と前記金属板との間に、前記素子と前記金属板の両方に接して、前記素子が発する熱を前記金属板に伝える熱伝導部材を備えること、
を特徴とするデジタルカメラ。
【請求項３】
前記熱伝導部材として熱伝導性ゴムを備え、前記素子の発する熱が該熱伝導性ゴムを介して前記金属板に伝わり放熱されること、
を特徴とする請求項２に記載のデジタルカメラ。
【請求項４】
前記熱伝導部材として、熱伝導性ゴムと金属の板バネとを備え、前記素子の発する熱が該熱伝導性ゴムと該板バネとを介して、前記金属板に伝わり放熱されること、
を特徴とする請求項２に記載のデジタルカメラ。
【請求項５】
前記イメージＬＣＤを、前記筐体の背面に配置したこと、
を特徴とする請求項１から４の何れかに記載のデジタルカメラ。
【発明の詳細な説明】
【０００１】
【発明の属する技術分野】
本発明は、外装面にイメージＬＣＤを有するデジタルカメラの放熱構造に関する。
【０００２】
【従来の技術】
従来より、デジタルカメラには、ＣＣＤで撮像した画像の処理、保存その他の様々な処理をするために、カメラ内部にＣＰＵその他の素子が搭載されている。これらの素子が発生する熱により筐体内部が高温になるのを避けるため、デジタルカメラは外部に放熱する構造を持つ必要があった。また、近年デジタルカメラの画素数等の性能向上から、ＣＰＵについてはより処理性能の高いものが搭載されるようになり、それに従ってＣＰＵが発生する熱も高くなる為、デジタルカメラにおける放熱設計はますます重要なものとなっている。
【０００３】
【発明が解決しようとする課題】
従来のデジタルカメラにおいては、カメラの外装を金属で構成して、ＣＰＵ等の素子が発生する熱を放熱する構造としていた。しかし、外装全体を金属で構成した場合、カメラの作動時に外装が熱くなり、ユーザーがカメラを手に持つと不快感を覚える等の問題があった。
【０００４】
本発明は、このような問題点を解決することのできるデジタルカメラを提供することを目的とする。
【０００５】
【課題を解決するための手段】
上記課題を解決するため、請求項１に記載のデジタルカメラは、樹脂製の筐体であって筐体の外装に対して開閉自在に支持されたイメージＬＣＤを有するデジタルカメラにおいて、筐体は、イメージＬＣＤが閉位置に収められているときにイメージＬＣＤの裏面に対向する部分が放熱板で構成されると共に、イメージＬＣＤが閉位置に収められたときに、イメージＬＣＤと放熱板との間に所定のクリアランスが確保されるように、放熱板に対するイメージＬＣＤの位置が規制されることを特徴としている。ユーザが通常触れる可能性の低い場所にのみ放熱板を設けたため、ユーザーに不快感を抱かせることなく、放熱効果を得ることができる。
【０００６】
また、請求項２に記載のデジタルカメラは、樹脂製の筐体であって筐体の外装に対して開閉自在に支持されたイメージＬＣＤを有するデジタルカメラにおいて、筐体は、イメージＬＣＤが閉位置に収められているときにイメージＬＣＤの裏面に対向する部分が金属板で構成されると共に、イメージＬＣＤが閉位置に収められたときに、イメージＬＣＤと放熱板との間に所定のクリアランスが確保されるように、放熱板に対するイメージＬＣＤの位置が規制され、筐体内部の発熱する素子と金属板との間に、素子と金属板の両方に接して、素子が発する熱を金属板に伝える熱伝導部材を備えることを特徴としている。このような構成とすることで、カメラ内部のＣＰＵ等が発生する熱を、熱伝導部材を介して金属板から放熱させることができる。この場合も、ユーザーが通常触れる可能性の低い場所にのみ金属放熱板を設けているため、ユーザーに不快感を抱かせることなく、放熱効果を得ることができる。なお、熱伝導部材としては、熱伝導性ゴムを用いるのが好ましい（請求項３）。また、熱伝導部材として、熱伝導性ゴムと金属の板バネとを用い、素子の熱が、該熱伝導性ゴムと該板バネとを介して金属板に伝わるようにしても良い（請求項４）。
【０００７】
イメージＬＣＤを筐体に対して開閉式に構成すれば、ＬＣＤを開いた場合に放熱板が外気に晒され放熱効果を上げることができる。ＬＣＤが筐体の背面に配置されている場合には、金属板が筐体の背面に位置することになる（請求項５）。従って、金属板により筐体の強度が増すと共に、同様の強度をプラスチックで実現する場合に比べて、カメラの厚みを大幅に減らすこともできる。
【０００８】
【発明の実施の形態】
図１は、本発明のデジタルカメラの外観を表わす斜視図である。デジタルカメラ１０の外装は、プラスチックで構成されており、その背面にはイメージＬＣＤ２が設けられている。また、イメージＬＣＤは、図１（ｂ）に示すように開閉式に構成にすることで、ユーザーの利便性を向上させることができる。
【０００９】
図２は、デジタルカメラ１０の分解図である。図のようにデジタルカメラ１０内部には、ＣＰＵ５その他の画像処理等を行うための様々な素子を搭載するプリント基板６が存在している。デジタルカメラの放熱設計においては、最も発熱量の大きいＣＰＵ５の熱を放熱することが必要となる。デジタルカメラ１０の、イメージＬＣＤ２の裏面に対向する部分には金属板７が取り付けられており、プリント基板６のカメラの背面方向の面に搭載されたＣＰＵ５の熱が金属板７に伝わる構造となっている。
【００１０】
図３は、デジタルカメラ１０を側面から見た断面図である。図３において、符号１７はレンズ、符号１８はＣＣＤであり、被写体の像は、レンズ１７を通してＣＣＤ１８上に結像される。また、図３には、ＣＰＵ５から金属板７への放熱構造が示されている。図３（ａ）に示すように、ＣＰＵ５と金属板７の間には、ＣＰＵ５と金属板７の両方に接するように熱伝導性ゴム１４が取り付けられている。ＣＰＵ５で発生する熱は、熱伝導性ゴム１４に伝わり、さらに金属板７に伝わることで放熱される。なお、図のようにイメージＬＣＤ２を軸２０を中心に開閉式に構成し、図の矢印方向に開いた状態にした場合、金属板７が外気に直接晒されることとなり、金属板７による放熱効果がさらに高まる。また、カメラをイメージＬＣＤ２が開いた状態で使用する場合（図１（ｂ）の状態）であっても、金属板７はカメラ本体背面の中央部分であって、イメージＬＣＤ２の裏面と対向する部分に位置しているので、通常の使用状態でユーザーが直接金属板７に触れることはない。
【００１１】
図３（ｂ）は、ＣＰＵ５の放熱構造の別の形態を示している。図３（ｂ）の場合は、金属板７に更に金属の中継板バネ１５が取り付けられており、その分ＣＰＵ５とのギャップが狭くなり、ＣＰＵ５と中継板バネ１５との間に取り付ける熱伝導性ゴム１６の厚さを、熱伝導性ゴム１４よりも薄くすることができる。
【００１２】
図４は、放熱部材の取り付け方法を示している。後カバー４は、図３に示すように、カメラ本体の背面側を覆うカバーである。金属板７は、図４のように、カメラの後カバー４にビス１３によって取り付けられ、熱伝導性ゴム１４は、金属板７上の、ＣＰＵ５と対抗する部位に接着される。また、中継板バネ１５を用いる場合は、これをビス１３によって、金属板７上のＣＰＵ５に対向する部位に取り付け、その上面に熱伝導性ゴム１６を接着する。
金属板７は、このように後カバー４の開口部分に取り付けられるので、カメラ本体全体をプラスチックで構成した場合に比べて、カメラ本体の剛性を向上させることができると共に、同様の剛性をプラスチックで実現する場合に比べて、カメラ本体を薄くすることも可能となる。
【００１３】
【発明の効果】
以上説明したように、本発明のデジタルカメラは、ユーザーが通常触れる可能性の低い場所にのみ放熱板を設けたため、ユーザーに不快感を抱かせることなく、放熱効果を得ることができる。また、金属板の使用により、放熱と同時にカメラ本体の剛性が向上され、また、カメラ本体の薄型化を行うことが可能となる。
【図面の簡単な説明】
【図１】本発明のデジタルカメラの外観を示す斜視図である。
【図２】本発明のデジタルカメラの分解図である。
【図３】本発明のデジタルカメラを側面からみた断面図である。
【図４】放熱部材の取り付け方法を示す図である。
【符号の説明】
２    イメージＬＣＤ
３    前カバー
４    後カバー
５    ＣＰＵ
６    プリント基板
７    金属板
１０  デジタルカメラ
１３  ビス
１４  熱伝導性ゴム
１５  中継板バネ
１６  熱伝導性ゴム
１７  レンズ
１８  ＣＣＤ
【図１】
0004319306.tif 000002
【図２】
0004319306.tif 000003
【図３】
0004319306.tif 000004
【図４】
0004319306.tif 000005